(57)【要約】【課題】プリセット風袋値を簡単に変更することができ、操作性の良い体重計を提供する。【解決手段】体重計１０は、プリセット風袋値の設定を行う操作部３４と、プリセット風袋値を記憶するメモリ３０と、計量値からプリセット風袋値を減算して風袋引き計量値を演算する演算処理部２８と、風袋引き計量値を表示する表示器１４とを備える。操作部３４としては、プリセット風袋値を増加、減少させる増加キー４４、減少キー４６が設けられる。計量動作中に増加キー４４、減少キー４６が操作されると、プリセット風袋値が変更され、自動的に表示器１４の表示パネル３２に表示されるとともにメモリ３０に記憶される。【選択図】図２
2013217788.tif 000002
【特許請求の範囲】
【請求項１】
プリセット風袋値の設定を行う操作部と、前記プリセット風袋値を記憶する記憶部と、前記記憶されたプリセット風袋値を減算して風袋引き計量値を演算する演算処理部と、前記風袋引き計量値を表示する表示部と、を備えた体重計において、
前記操作部には、前記プリセット風袋値を増減する操作ボタンが設けられ、
計量モード中に前記操作ボタンが操作されることによって、前記プリセット風袋値が変更されて前記表示部に表示されるとともに、該変更されたプリセット風袋値が自動的に前記記憶部に記憶されて、計量モードに戻ることを特徴とする体重計。
【請求項２】
前記操作ボタンは、前記プリセット風袋値を所定値だけ増加させる増加キーと、前記プリセット風袋値を所定値だけ減少させる減少キーと、を備えることを特徴とする請求項１に記載の体重計。
【請求項３】
前記増加キーと前記減少キーは、上下に並んで配置されることを特徴とする請求項２に記載の体重計。
【請求項４】
前記操作ボタンは、前記プリセット風袋値を初期値に変更する初期値設定キーを備えることを特徴とする請求項２または３に記載の体重計。
【請求項５】
前記表示部の表示は、前記操作ボタンが操作されることによって前記プリセット風袋値の表示に切り替わり、所定時間後に自動的に前記プリセット風袋値を減算した風袋引き後の計量値の表示に切り替わることを特徴とする請求項１〜４のいずれか１に記載の体重計。
【発明の詳細な説明】
【技術分野】
【０００１】
本発明は体重計に係り、特に病院や介護施設などで使用される業務用の体重計に関する。
【背景技術】
【０００２】
一般的な検定付はかりにはもともと、容器等の風袋値を実際に計量し、その値を用いて風袋引きを行う実風袋引き機能が設けられている。また、実風袋引き機能のほかに、風袋値を予め設定しておき、その値（以下、プリセット風袋値という）を風袋値とみなして風袋引きを行うプリセット風袋引き機能も知られている。これらの機能については、特定計量器の技術基準であるJISB7611-2によって定められている。そして、検定付体重計に限定すると、プリセット風袋値として車イスや衣服の重量とすることが多くたとえば特許文献１には、車椅子の重量と衣服の重量をプリセット風袋値として設定し、風袋引きを行うことが記載されている。
【０００３】
ところで、病院や介護施設などでは、様々な人の体重を頻繁に計量しており、被測定者の体重をできるだけ迅速且つ正確に計量する必要がある。このような現場では、作業者が被測定者の着衣の重量を予想し、プリセット風袋値として設定して風袋引き計量を行っている。しかし、被測定者の着衣は人それぞれであり、正確に計量を行うためには、被測定者ごとにプリセット値を変更する必要がある。また、車椅子に乗せたまま体重を測定する場合には、車椅子の種類ごとに車椅子の重量が異なるため、車椅子が変わるたびにプリセット風袋値を変更する必要がある。
【０００４】
プリセット風袋値を変更する場合、まず、プリセット風袋値の設定モードに切り替える。これにより、画面にプリセット風袋値が表示されるので、その画面を見ながらプリセット風袋値を入力する。そして、決定ボタンを押してプリセット値を記憶し、さらに計量モードに再び切り替えて計量を行う。これにより、新たなプリセット風袋値に基づいて風袋引き計量が行われる。
【先行技術文献】
【特許文献】
【０００５】
【特許文献１】特開２００７−１３２８１７
【発明の概要】
【発明が解決しようとする課題】
【０００６】
しかしながら、従来の検定付体重計は、体重計以外の検定付はかりと同じ操作になっており、病院や介護施設など、プリセット風袋値を随時変化させる状況が想定されていない。そのため、プリセット風袋値を変更するたびに、設定モードへの切り替え操作、プリセット風袋値の入力操作、プリセット風袋値の決定操作、計量モードのへ切り替え操作が必要になり、操作性が非常に悪く、プリセット風袋値の変更作業が煩わしいという問題があった。上述したように病院や介護施設では、被測定者ごとまたは車椅子ごとにプリセット風袋値を頻繁に変更するため、改善が要求されていた。その一方で、検定付体重計の場合は、たんに操作性を改善するだけではなく、JISB7611-2に定められた技術基準（操作方法、表示方法、性能）や試験を満たす必要があり、これまでは検定付体重計の操作性の改善が行われなかった。
【０００７】
本発明はこのような事情に鑑みて成されたもので、一定の高い技術基準を満たしながらも、プリセット風袋値を簡単に設定或いは変更できる体重計を提供することを目的とする。
【課題を解決するための手段】
【０００８】
請求項１に記載の発明は前記目的を達成するために、プリセット風袋値の設定を行う操作部と、前記プリセット風袋値を記憶する記憶部と、前記記憶されたプリセット風袋値を減算して風袋引き計量値を演算する演算処理部と、前記風袋引き計量値を表示する表示部と、を備えた体重計において、前記操作部には、前記プリセット風袋値を増減する操作ボタンが設けられ、計量モード中に前記操作ボタンが操作されることによって、前記プリセット風袋値が変更されて前記表示部に表示されるとともに、該変更されたプリセット風袋値が自動的に前記記憶部に記憶されて、計量モードに戻ることを特徴とする体重計を提供する。
【０００９】
本発明によれば、プリセット変更用の操作ボタンが操作されると、変更後のプリセット風袋値が表示部に表示されるとともに自動的に記憶部に記憶される。すなわち、操作ボタンを操作するだけで自動的にプリセット風袋値の設定モードへと切り替わり、変更後のプリセット風袋値が表示部に表示される。さらに、（別の操作することなく）変更後のプリセット風袋値が自動的に記憶部に記憶され、再び計量モードに切り替わる。このように一種類の操作だけで、プリセット風袋値の設定変更と計量モードへの復帰動作を行うことができ、従来の体重計と比べて操作性を大きく向上させるだけでなく、非測定者ごとの衣服に応じた正確な体重測定という、これまでにない測定方法を提供することができる。
【００１０】
請求項２に記載の発明は請求項１において、前記操作ボタンは、前記プリセット風袋値を所定値だけ増加させる増加キーと、前記プリセット風袋値を所定値だけ減少させる減少キーと、を備えることを特徴とする。本発明によれば、増加キーまたは減少キーを操作するだけで、プリセット風袋値を簡単に変更でき、そのままプリセット風袋引き計量を行うことができる。
【００１１】
請求項３に記載の発明は請求項２において、前記増加キーと前記減少キーは、上下に並んで配置されることを特徴とする。本発明によれば、増加キーと減少キーが上下に並んで配置されるので、直感的に操作することができる。
【００１２】
請求項４に記載の発明は請求項２または３において、前記操作ボタンは、前記プリセット風袋値を初期値に変更する初期値設定キーを備えることを特徴とする。本発明によれば、初期値設定キーを操作するだけで、プリセット風袋値を予め設定された初期値に変更することができ、且つ、そのままプリセット風袋引き計量を行うことができる。
【００１３】
請求項５に記載の発明は請求項１〜４のいずれか１において、前記表示部の表示は、前記操作ボタンが操作されることによって前記プリセット風袋値の表示に切り替わり、所定時間後に自動的に前記プリセット風袋値を減算した風袋引き後の計量値の表示に切り替わることを特徴とする。
【発明の効果】
【００１４】
本発明の体重計によれば、プリセット変更用の操作ボタンが操作されることによって、プリセット風袋値が表示部に表示されるとともに自動的に記憶部に記憶されて計量モードに戻るので、操作性を大幅に向上させ、非測定者ごとの衣服に応じた正確な体重測定が可能となる。
【図面の簡単な説明】
【００１５】
【図１】本実施の形態の体重計を示す斜視図
【図２】図１の体重計の構成を示すブロック図
【図３】図１の表示器を示す平面図
【図４】プリセット風袋値の設定処理を示すフロー図
【発明を実施するための形態】
【００１６】
以下、添付図面に従って本発明に係る体重計の好ましい実施形態について説明する。図１は、本発明が適用された体重計１０を示す斜視図であり、図２は体重計１０の内部構成を示すブロック図である。
【００１７】
これらの図に示すように体重計１０は、分離された計量台１２と表示器１４とで構成される。  計量台１２は平面視で略矩形状に形成されており、その上面には被測定者が載る際の目安となる足形１８が表示されている。また、計量台１２の上面には水平器２０が設けられており、水平度をチェックできるようになっている。計量台１２の下面には、四隅に足コマ２２が取り付けられており、この足コマ２２によって、それぞれの高さを調節することができる。したがって水平器２０を見ながら足コマ２２を操作することによって、計量台１２を水平に設置することができる。
【００１８】
計量台１２の内部には、図２に示すように、計量機構２４と制御部２６が設けられている。計量機構２４はロードセルや歪みゲージから成り、計量台１２に荷重が加わった際にそれに応じた計量信号を制御部２６に出力する。制御部２６には、計量機構２４からの計量信号を重量値に換算したり、さらのその重量値から風袋値を減算したりする演算処理部２８が設けられており、演算処理した値が表示器１４の表示パネル３２に出力される。また、制御部２６にはメモリ３０が設けられており、計量値やプリセット風袋値が記憶される。
【００１９】
計量台１２と表示器１４にはそれぞれケーブルコネクタ（不図示）が設けられており、両者はケーブル（たとえばＬＡＮケーブル）１６によって接続される。これにより、計量台１２と表示器１４が有線で接続され、両者間でデータの送受信が行われる。なお、本実施の形態では、計量台１２と表示器１４を有線で接続したが、これに限定するものではなく、無線で接続するようにしてもよい。
【００２０】
また、計量台１２と表示器１４にはそれぞれ電源用ジャック（不図示）が設けられている。この電源用ジャックにＡＣアダプタを接続することによって、計量台１２と表示器１４に電源が供給される。なお、計量台１２と表示器１４の一方のみにＡＣアダプタを接続し、他方にはケーブル１６を介して電源を供給するようにしてもよい。また、計量台１２や表示器１４に電池の収納ボックスを設けてもよい。
【００２１】
表示部１４には、表示パネル３２と、各種の操作ボタンから成る操作部３４（図２参照）が設けられている。各種の操作ボタンとしては、図３に示すように、オンオフスイッチ３６、零点スイッチ３８、時計設定スイッチ４０、衣服引キー４２、増加キー４４、減少キー４６が設けられている。オンオフスイッチ３６は、電源をオンまたはオフにするスイッチであり、電源をオフする際には、このオンオフスイッチ３６を操作しなくても所定時間放置することで自動的にオフするようになっている。時計設定スイッチ４０は、内蔵された時計の時刻を設定するためのスイッチであり、後述の増加キー４４や減少キー４６と合わせて操作することによって時刻の設定を行うことができる。
【００２２】
零点スイッチ３８は、計量値の表示を「０」にするためのスイッチであり、たとえば計量開始時に零点を設定したい場合や、実風袋引きモードを行う際に使用される。実風袋引きモードでは、実際の衣服等を計量台１２に載置した後、零点スイッチ３８を操作することによって計量値の表示が「０」になり、実風袋引き計量値が表示パネル３２に表示される。
【００２３】
衣服引キー（初期値設定キーに相当）４２はプリセット風袋値を予め入力された初期値に設定するスイッチである。この衣服引スイッチ４０を操作することによって、プリセット風袋値が初期値、たとえば１．０ｋｇに設定される。
【００２４】
増加キー４４、減少キー４６は、プリセット風袋値を変更するための操作ボタンであり、増加キー４４は上側に、減少キー４６は下側に配置される。また、増加キー４４の表面には「＋」が表示され、減少キー４６の表面には「−」が表示される。なお、増加キー４４の表面に上向きの矢印や三角形に表示し、減少キー４６の表面に下向きの矢印や三角形を表示してもよい。増加キー４４は一回操作するごとにプリセット風袋値が所定量（たとえば０．０５ｋｇ）ずつ増加するように設定され、減少キー４６は一回操作するごとにプリセット風袋値が所定量（たとえば０.０５ｋｇ）ずつ減少するように設定される。
【００２５】
なお、操作ボタンは上述したものだけでなく、様々なものを設けてもよい。たとえば直前に測定した体重値を表示して確認するための前回値表示ボタンや、ＢＭＩを計算して表示するためのＢＭＩボタンを設けてもよい。また、本実施では、操作ボタンを表示パネル３２と別に設けたが、表示パネル２２をタッチパネルにし、操作ボタンを兼ねるようにしてもよい。
【００２６】
表示パネル３２の表示方法は特に限定するものではないが、たとえば計量動作中に計量値（実風袋引き計量値やプリセット風袋引き計量値を含む）が表示されるとともに、プリセット風袋値の設定中には表示が切り替わり、プリセット風袋値が表示される。なお、別の表示方法としては、たとえば上下２段に表示を行い、下段に計量値を表示し、上段にプリセット風袋値などを表示するようにしてもよい。
【００２７】
次に上記の如く構成された体重計１０の操作について説明する。体重計１０は、（風袋引きを行わない）通常の計量モードのほか、実際の風袋値を計量して風袋引きを行う実風袋引き計量モードや、任意に設定した風袋値に基づいて風袋引きを行うプリセット風袋引き計量モードを選択することができる。
【００２８】
体重計１０は、オンオフスイッチ３６を操作することによって電源が入り、通常の計量モードに設定される。これにより、風袋引きのない通常の計量を行うことができる。なお、計量台１２に何も載っていない無荷重の状態で、表示パネル３２の表示が「０」でない場合には、零点スイッチ３８を操作することによって零点補正することができる。
【００２９】
また、体重計１０では、零点スイッチ３８を操作することによって、実風袋引き計量モードに切り替えることができる。すなわち、風袋引きしたいもの（衣服など）を計量台１２に載せた後、零点スイッチ３８を操作することによって、表示値を「０」にする。この状態で計量台１２に被測定者が載ることによって、表示パネル３２に風袋引き後の計量値が表示される。
【００３０】
さらに、体重計１０では、衣服引キー４２、増加キー４４または減少キー４６を操作するだけで、プリセット風袋引き計量モードに切り替えることができる。たとえば衣服引キー４２を操作した場合には、プリセット風袋値が１.０ｋｇに設定され、このプリセット風袋値が自動的に表示パネル３２に表示されるとともに制御部２６のメモリ３０に記憶される。そして、所定時間（数秒間）、次の操作が行われなければ、表示パネル３２の表示が風袋引き後の値に切り替わり、そのままプリセット風袋引き計量を行うことができる。
【００３１】
一方、増加キー４４を操作した場合、プリセット風袋値は、操作ごとに０．０５ｋｇを初期値に加算した値に設定され、そのプリセット風袋値が表示パネル３２に表示されるとともに、制御部２６のメモリ３０に記憶される。初期値は特に限定するものではないが、たとえば１.０ｋｇに設定される。したがって、増加キー４４を３回操作した場合には、プリセット風袋値が１.１５ｋｇに設定され、その値が表示パネル３２に表示されるとともにメモリ３０に記憶される。そして、所定時間（数秒間）、次の操作が行われなければ、表示パネル３２の表示が風袋引き後の値に切り替わり、そのままプリセット風袋引き計量を行うことができる。
【００３２】
同様に、減少キー４６を操作した場合、プリセット風袋値は、操作ごとに０．０５ｋｇを初期値から減算した値に設定され、そのプリセット風袋値が表示パネル３２に表示されるとともに、制御部２６のメモリ３０に記憶される。したがって、たとえば減少キー４６を３回操作した場合には、プリセット風袋値が０.８５ｋｇに設定され、その値が表示パネル３２に表示されるとともにメモリ３０に記憶される。そして、所定時間（数秒間）、次の操作が行われなければ、表示パネル３２の表示が風袋引き後の値に切り替わり、そのままプリセット風袋引き計量を行うことができる。
【００３３】
上記の如く設定したプリセット風袋値を変更する場合、衣服引キー４２、増加キー４４または減少キー４６を操作する。たとえば増加キー４４を操作した場合、プリセット風袋値は、メモリ３０に記憶されたプリセット風袋値に対して、操作ごとに０．０５ｋｇ加算した値に変更される。変更されたプリセット風袋値は自動的に表示パネル３２に表示されるとともに、制御部２６のメモリ３０に記憶される。そして、所定時間後、自動的に変更後の風袋引き計量値が表示パネル３２に表示される。
【００３４】
同様に、減少キー４６を操作した場合、プリセット風袋値は、メモリ３０に記憶されたプリセット風袋値に対して、操作ごとに０．０５ｋｇ減算した値に変更される。変更されたプリセット風袋値は自動的に表示パネル３２に表示されるとともに、制御部２６のメモリ３０に記憶される。そして、所定時間後、自動的に変更後の風袋引き計量値が表示パネル３２に表示される。
【００３５】
一方、衣服引キー４２を操作した場合、プリセット風袋値は、１.０ｋｇに設定され、このプリセット風袋値が自動的に表示パネル３２に表示されるとともに制御部２６のメモリ３０に記憶される。これにより、プリセット風袋値を１.０ｋｇとしたプリセット風袋引き計量モードになり、表示パネル３２には自動的に、プリセット風袋値を減算した計量値が表示される。
【００３６】
図４は上述したプリセット風袋引き計量モードのフローを示している。同図に示すステップＳ１の計量モードは、通常の計量モードのほか、実風袋引き計量モード、プリセット風袋引き計量モードを含んでいる。
【００３７】
ステップＳ１の計量モード中に、衣服引キー４２、増加キー４４または減少キー４６が操作されると（ステップＳ２）、無荷重状態かどうかが判別される（ステップＳ３）。そして、無荷重状態でないと判断した場合には、衣服引キー４２、増加キー４４、減少キー４６の操作を無効にして計量モードを継続する。
【００３８】
衣服引キー４２、増加キー４４、減少キー４６が無荷重状態で操作されたと判断した場合には、プリセット風袋値の設定処理を行う（ステップＳ４）。プリセット風袋値の変更処理は上述したように、衣服引キー４２が操作された場合はプリセット風袋値を１.０ｋｇに設定し、増加キー４４が操作された場合にはメモリ３０に記憶された値や初期値に０．０５ｋｇずつ加算し、減少キー４６が操作された場合にはメモリ３０に記憶された値や初期値に０.０５ｋｇずつ減算する。
【００３９】
変更後のプリセット風袋値は表示パネル３２に表示されるとともに、自動的にメモリ３０に記憶されて計量モードに戻る（ステップＳ１）。作業者は表示パネル３２にプリセット風袋値が表示されるので、その値を見ながらプリセット風袋値を確認および変更することができる。また、メモリ３０に変更後のプリセット風袋値が記憶されて計量モードに戻るので、変更後のプリセット風袋値に基づく風袋引き計量を行うことができる。
【００４０】
このように本実施の形態の体重計１０によれば、増加キー４４や減少キー４６を操作するだけで、自動的に計量モードからプリセット風袋値の設定モードに切り替わり、プリセット風袋値が表示パネル３２に表示される。さらに、他の操作をすることなく、プリセット風袋値がメモリ３０に記憶され、変更後のプリセット風袋値に基づく計量モードに自動的に切り替わり、計量が可能な状態となる。すなわち、増加キー４４や減少キー４６を操作するだけでプリセット風袋値が変更され、連続して計量可能な状態となる。したがって、従来の体重計のように、プリセット風袋値を変更するたびに、プリセット風袋値の設定モードへの切り替え操作、プリセット風袋値の決定操作、計量モードへの切り替え操作をする必要がなく、操作性が大きく向上する。
【００４１】
なお、本実施の形態では、計量台１２と表示器１４が分離された体重計の例で説明したが、本発明はこれに限定されるものではなく、計量台１２に表示パネルが一体的に設けられた体重計にも適用することができる。また、本実施の形態は、人が直接載って測定する体重計の例で説明したが、本発明はこれに限定するものではなく、たとえば車椅子ごと載って測定する体重計等にも適用することができる。さらに本実施の形態は、体重のみを測定する体重計の例で説明したが、これに限定するものではなく、体脂肪や身長などの他の測定を行う機能を備えた体重計等にも適用することができる。
【符号の説明】
【００４２】
１０…体重計、１２…計量台、１４…表示器、１６…ケーブル、１８…足形、２０…水平器、２２…足コマ、２４…計量機構、２６…制御部、２８…演算処理部、３０…メモリ、３２…表示パネル、３４…操作部、３６…オンオフスイッチ、３８…零点スイッチ、４０…時計設定スイッチ、４２…衣服引キー、４４…増加キー、４６…減少キー
【図１】
2013217788.tif 000003
【図２】
2013217788.tif 000004
【図３】
2013217788.tif 000005
【図４】
2013217788.tif 000006